(57)【要約】【課題】浴室を施工した後においても壁パネルの色を容易に変更することが可能な浴室壁パネルを提供する。【解決手段】２枚のカバー部材２、３の間に面発光体が挟持されてなるパネルであって、上記２枚のカバー部材２、３と面発光体とがそれぞれ接着剤を介して積層されるとともに、上記カバー部材の少なくとも１枚が透明部材とされた浴室壁パネルＡ。好ましくは、上記接着剤がブチル系の接着剤シート４とされ、上記面発光体がエレクトロルミネセンス発光シート１とされる。【選択図】図１
2007031998.tif 000002
【特許請求の範囲】
【請求項１】
２枚のカバー部材の間に面発光体が挟持されてなるパネルであって、上記２枚のカバー部材と面発光体とがそれぞれ接着剤を介して積層されるとともに、上記カバー部材の少なくとも１枚が透明部材とされた浴室壁パネル。
【請求項２】
上記接着剤がブチル系の接着剤シートである請求項１に記載の浴室壁パネル。
【請求項３】
上記面発光体がエレクトロルミネセンス発光シートである請求項１に記載の浴室壁パネル。
【請求項４】
２枚のカバー部材の間に面発光体が挟持されてなるパネルであって、上記２枚のカバー部材と面発光体とからなる積層体の上下端部、左右側端部を断面コ字形の枠で挟み込むとともに、上記カバー部材の少なくとも１枚が透明部材とされた浴室壁パネル。
【請求項５】
上記面発光体がエレクトロルミネセンス発光シートである請求項４に記載の浴室壁パネル。
【発明の詳細な説明】
【技術分野】
【０００１】
本発明は壁パネルに関する。さらに詳しくは、浴室に用いられ、色を変えることのできる壁パネルに関する。
【背景技術】
【０００２】
従来、浴室に用いられる壁パネルとしては、鋼板に模様を印刷したシートをラミネートした化粧鋼板あるいは、スレート板等に塗装または転写シートで色、柄等を付け、デザインした無機質化粧パネル等が一般的に使用されている。例えば、浴室をリフォームして、壁パネルの色を変えたいとき、塗り替えによる方法は却って手間とコストがかかるため、結局パネル全体を取り替えることになる場合が多い。また、リフォームするまでもなく、単に浴室壁パネルの色を変えて気分転換を図ろうとする場合でも、湿気の多い浴室で長期間、色調を保持するには、専門業者による耐水塗装が必要となり、塗装費用が高くつくという問題がある。
【０００３】
一方、エレクトロルミネセンスからなる発光シートを壁面、天井等の面発光体として、また内照式サイン、道路標識等の自発光式標識等のバックライト用の光源として用いることが近年広く行われている。下記特許文献１には上記発光シートを使用した発光パネルユニット、発光パネルおよびそれを用いた自発光式表示体が提案されている。
【特許文献１】特開平８−１３８４０１号公報（第１〜３頁、第１図、第２図）
【発明の開示】
【発明が解決しようとする課題】
【０００４】
そこで、上記発光シート等の面発光体を浴室壁パネルに組み込み、電極に印加する電圧等外部からの入力を変化させ、発光色、輝度等を変えることにより浴室壁パネルの色を変更することが考えられる。しかしながら、上記面発光体は耐水性、耐湿性に劣り、また、一般的に厚みが１ｍｍ程度かそれ以下で非常に薄く取り扱いにくいため、パネルに組み込んで浴室壁として利用することは非常に困難である。本発明はこのような問題を解決して上記面発光体を水分や湿気等から保護して浴室壁パネルに組み込み、浴室を施工した後においても壁パネルの色を容易に変更することが可能な浴室壁パネルを提供することを、その課題とする。
【課題を解決するための手段】
【０００５】
上記課題を解決するために、本発明においては、つぎのような技術的手段を講じている。すなわち、請求項１に記載の本願第１発明によれば、２枚のカバー部材の間に面発光体が挟持されてなるパネルであって、上記２枚のカバー部材と面発光体とがそれぞれ接着剤を介して積層されるとともに、上記カバー部材の少なくとも１枚が透明部材とされた浴室壁パネルが提供される。上記透明部材としては、とくに限定されるものではなく、ガラス、セラミック、プラスチックス等が用いられる。
【０００６】
請求項２に記載の浴室壁パネルは、請求項１に記載の発明に加えて、上記接着剤がブチル系の接着剤シートとされる。接着剤としてはブチル系、アクリル系、ウレタン系、エポキシ系、フェノール系等、各種接着剤をあげることができるが、透明性、接着性に優れていることから、前記ブチル系接着剤が好ましく用いられる。さらに、接着剤をシート状として用いることが好ましい。
【０００７】
また、請求項３に記載の浴室壁パネルは、請求項１に記載の発明に加えて、上記面発光体がエレクトロルミネセンス発光シートとされる。面発光体としてはＥＬ（エレクトロルミネセンス）、ＬＣＤ（液晶ディスプレイ）、ＬＥＤ（発光ダイオード）、ＰＤＰ（プラズマディスプレイパネル）等をあげることができるが、薄形、軽量化をはかれるとともに、発光面積を大きくとれることから、ＥＬが好ましく用いられる。
【０００８】
請求項４に記載の本願第２発明によれば、２枚のカバー部材の間に面発光体が挟持されてなるパネルであって、上記２枚のカバー部材と面発光体とからなる積層体の上下端部、左右側端部を断面コ字形の枠で挟み込むとともに、上記カバー部材の少なくとも１枚が透明部材とされた浴室壁パネルが提供される。
【０００９】
請求項５に記載の浴室壁パネルは、請求項４に記載の発明に加えて、上記面発光体がＥＬ（エレクトロルミネセンス）発光シートとされる。第２発明においても、第１発明と同様に薄形、軽量化をはかれるとともに、発光面積を大きくとれることから、ＥＬ発光シートが好ましく用いられる。
【発明の効果】
【００１０】
請求項１に記載の第１発明にかかる浴室壁パネルは上記のとおりであり、上記２枚のカバー部材と面発光体とがそれぞれ接着剤を介して積層され、上記カバー部材の少なくとも１枚が透明部材とされているため、透明部材からなるカバー部材を浴室側にして上記浴室壁パネルを建て込み、面発光体に通電することにより発光し、色の付いた浴室壁パネルとすることができる。
【００１１】
請求項２に記載の浴室壁パネルは上記のとおりであり、請求項１の浴室壁パネルの有する効果に加え、透明性に優れたブチル系の接着剤シートを用いているため、あたかも接着剤を使用していないかのようにして透明部材と面発光体とを接着することができる。また、上記ブチル系の接着剤シートは接着性に優れているため、水分や湿気の浸入を防いで上記２枚のカバー部材と面発光体とをしっかりと接着し、積層することができる。さらに、透明部材としてガラスを用いた場合、外部からの衝撃等でガラスが破損しても、接着剤シートが破片の飛散を防ぎ、使用者の安全をはかることができる。
【００１２】
請求項３に記載の浴室壁パネルは上記のとおりであり、請求項１の浴室壁パネルの有する効果に加え、上記面発光体としてＥＬ発光シートを用いているため、シート状とされた発光体をカバー部材で挟んで容易に積層できるとともに、少ない消費電力で発光させることができる。また、ＥＬ発光シートに印加する電圧を上げることにより発光度、輝度等が増すため、印加電圧をコントロールして、浴室壁パネルの色、柄等を容易に変化させることができる。
【００１３】
請求項４に記載の第２発明にかかる浴室壁パネルは上記のとおりであり、上記２枚のカバー部材と面発光体とからなる積層体の上下端部、左右側端部を断面コ字形の枠で挟み込むとともに、上記カバー部材の少なくとも１枚が透明部材とされているため、面発光体に通電することにより発光し、色の付いた浴室壁パネルとすることができる。
【００１４】
請求項５に記載の浴室壁パネルは上記のとおりであり、請求項４の浴室壁パネルの有する効果に加え、上記面発光体としてＥＬ発光シートを用いているため、上記シート状とされた発光体をカバー部材で挟んで容易に積層できるとともに、少ない消費電力で発光させることができる。また、第１発明と同様にして、ＥＬ発光シートに印加する電圧をコントロールすることにより、浴室壁パネルの色、柄等を容易に変化させることができる。
【発明を実施するための最良の形態】
【００１５】
以下、本発明の実施形態について図面を参照して、詳細に説明する。図１は第１発明にかかる浴室壁パネルの実施例を示すものである。以下、図１を参照して第１発明について説明する。図１（ａ）は第１発明の浴室壁パネルＡを示す斜視図であり、図１（ｂ）は図１（ａ）におけるＸ−Ｘ線に沿う平断面図である。
【００１６】
図１に示されているように、第１発明にかかる浴室壁パネルＡは、透明部材として厚さ約５ｍｍのガラスが用いられ、２枚のガラス部材２、３の間に面発光体としての厚さ約１ｍｍのＥＬ発光シート１が挟まれ積層されている。すなわち、図１（ｂ）に示されているように、上記ガラス部材２とＥＬ発光シート１との間には、接着剤として用いた透明なブチル系の接着剤シート４が介装され、同様にガラス部材３とＥＬ発光シート１との間にも上記接着剤シート４が介装され、ガラス部材２、ＥＬ発光シート１、ガラス部材３がこの順にしっかりと接着される。このようにして水分や湿気の浸入を防いで上記２枚のガラス部材２、３とＥＬ発光シート１とをしっかりと積層し、第１発明にかかる浴室壁パネルＡが形成される。
【００１７】
上記ＥＬ発光シート１は、基板の上に順次、Ｉｎ2Ｏ3等の導電性物質からなる透明電極、誘電体層、ＺｎＳ：Ｃｕ等の蛍光体からなる発光層、ＢａＴｉＯ3等からなる誘電体層、Ａｌ箔等の導電性物質からなる背面電極等を蒸着、スパッタリング、スクリーン印刷や貼付等の手段により積層してなるものであり、上記透明電極と背面電極との間に交流電圧を印加することにより発光し、印加電圧が高いほど発光輝度が増大する。
【００１８】
上記、面発光体としてのＥＬ発光シート１に図示しない電圧制御手段を介して交流電圧を印加し、交流電圧をコントロールすることにより、ＥＬ発光シート１の色、発光輝度等を変えることができる。その結果、浴室の施工後でも印加電圧をコントロールすることにより上記ＥＬ発光シート１を組み込んだ浴室壁パネルＡの色、柄等を変えることが可能となる。
【００１９】
図２は第２発明にかかる浴室壁パネルの実施例を示すものである。以下、図２を参照して第２発明について説明する。図２（ａ）は第２発明の浴室壁パネルＢを示す斜視図であり、図２（ｂ）は図２（ａ）におけるＹ−Ｙ線に沿う平断面図である。第２発明においては、透明部材として強度の大きいアクリル樹脂板が用いられる。本実施例においては厚さ約５ｍｍのアクリル樹脂製の２枚のアクリル樹脂部材５、６の間に面発光体としての厚さ約１ｍｍのＥＬ発光シート１が挟まれ積層されている。
【００２０】
すなわち、図２（ｂ）に示されているように、２枚のアクリル樹脂部材５、６の間にＥＬ発光シート１を挟持して積層体Ｃを形成し、この積層体Ｃの上下端部、左右側端部を断面コ字形の枠７で挟み込む。このように上記積層体Ｃの端部を枠７でしっかりと圧締することにより、水分や湿気の浸入を防いで２枚のアクリル樹脂部材５、６とＥＬ発光シート１とがしっかりと積層し、第２発明にかかる浴室壁パネルＢが形成される。
【００２１】
ＥＬ発光シート１の構成は第１発明と同様であり、ＥＬ発光シート１の色、発光輝度も同様に変えることができる。その結果、上記ＥＬ発光シート１を組み込んだ浴室壁パネルＢを用いることにより、浴室の施工後も印加電圧をコントロールして壁パネルの色、柄等を容易に変更することができる。なお、第２発明においても第１発明と同様に２枚のアクリル樹脂板５、６とＥＬ発光シート１との間に、それぞれ接着剤を介装することも可能である。
【００２２】
つぎに、第１発明にかかる浴室壁パネルＡを用いて施工する施工例について説明する。図３は、上記浴室壁パネルＡを並列に建て込んで壁部を構成した状態を示す平断面図である。図３に示すように、浴室壁パネルＡの駆体側端部に連結部材８を固定し、連結部材８どうしをジョイナ９１によって結合する。このようにすることによって、浴室の壁部を施工することができる。図４は浴室壁パネルＡを建て込んでコーナー部を構成した状態を示す平断面図である。上記と同様にして連結部材８どうしをコーナー用ジョイナ９２で結合することによって浴室コーナー部を施工することができる。
【００２３】
上記した方法により、本発明にかかる浴室壁パネルＡを建て込み、施工後も壁パネルの色、柄等を容易に変更可能な浴室を得ることができる。上記では、第１発明にかかる浴室壁パネルＡを用いて施工する施工例について述べたが、第２発明にかかる浴室壁パネルＢを用いても同様にして施工できることはもちろんである。
【図面の簡単な説明】
【００２４】
【図１】（ａ）は第１発明にかかる浴室壁パネルを示す斜視図、（ｂ）は（ａ）におけるＸ−Ｘ線に沿う平断面図である。
【図２】（ａ）は第２発明にかかる浴室壁パネルを示す斜視図、（ｂ）は（ａ）におけるＹ−Ｙ線に沿う平断面図である。
【図３】浴室壁パネルを並列に建て込んで壁部を構成した状態を示す平断面図である。
【図４】浴室壁パネルを建て込んでコーナー部を構成した状態を示す平断面図である。
【符号の説明】
【００２５】
Ａ          第１発明にかかる浴室壁パネル
１          ＥＬ発光シート
２          ガラス部材
３          ガラス部材
４          接着剤シート
Ｂ          第２発明にかかる浴室壁パネル
Ｃ          積層体
５          アクリル樹脂板
６          アクリル樹脂板
７          枠
８          連結部材
９１        ジョイナ
９２        コーナー用ジョイナ
【図１】
2007031998.tif 000003
【図２】
2007031998.tif 000004
【図３】
2007031998.tif 000005
【図４】
2007031998.tif 000006